(57)【要約】      （修正有）【課題】高精細な静止画像の映像表示を維持し、かつ識別信号を使用せず映像表示装置を特定して映像表示できるマルチディスプレイ装置および映像信号発生装置を実現する。【解決手段】映像信号と同期信号で構成される静止画信号を分割し、時分割送出する映像信号発生装置であって、前記映像信号発生装置は、前記同期信号と前記映像信号の時間差を制御する制御部を有し、前記制御部は時分割された前記静止画信号ごとに異なる前記時間差を設定する。更に、静止画像の信号を映像表示する複数の映像表示装置が接続されたマルチディスプレイ装置であって、前記静止画信号は、映像信号と同期信号で構成されており、前記映像表示装置は、前記同期信号と前記映像信号の時間差を識別して映像表示する。【選択図】図１
2012078393.tif 000002
【特許請求の範囲】
【請求項１】
映像信号と同期信号で構成される静止画信号を分割し、時分割送出する映像信号発生装置であって、
前記映像信号発生装置は、前記同期信号と前記映像信号の時間差を制御する制御部を有し、
前記制御部は時分割された前記静止画信号ごとに異なる前記時間差を設定することを特徴とする映像信号発生装置。
【請求項２】
前記同期信号が垂直同期信号であることを特徴とする請求項１記載の映像信号発生装置。
【請求項３】
前記同期信号が水平同期信号であることを特徴とする請求項１記載の映像信号発生装置。
【請求項４】
静止画信号を映像表示する複数の映像表示装置が接続されたマルチディスプレイ装置であって、
前記静止画信号は、映像信号と同期信号で構成されており、
前記映像表示装置は、前記同期信号と前記映像信号の時間差を識別して映像表示することを特徴とするマルチディスプレイ装置。
【請求項５】
前記同期信号が垂直同期信号であることを特徴とする請求項４記載の映像信号発生装置。
【請求項６】
前記同期信号が水平同期信号であることを特徴とする請求項４記載の映像信号発生装置。
【発明の詳細な説明】
【技術分野】
【０００１】
本発明は、複数の映像表示装置を互いに或いは外部機器を通じて接続し、１つのディスプレイのように機能する静止画表示マルチディスプレイ装置（以下、マルチディスプレイ装置）およびマルチディスプレイ装置に静止画信号を出力する映像信号発生装置に関する。
【背景技術】
【０００２】
現在、複数の映像表示装置を接続して１つのディスプレイのように機能させるマルチディスプレイ装置が広く用いられている。大画面を必要とする展示会やコンサートなど業務用を中心とし、設置場所の環境や用途・目的に合わせて接続数を自由に増減出来る事が特徴である。
【０００３】
マルチディスプレイ装置は、複数の映像表示装置によって構成されているため、それぞれの映像装置に映像信号を伝送する必要がある。いくつかの従来技術による映像信号の伝送方法について図８および図１０を用いて解説する。
【０００４】
図８は、第１の従来技術による映像信号伝送方法のシステム図である。７１はＰＣであり、７２ａ、７２ｂ、７２ｃ、７２ｄ、７２ｅ、７２ｆ、７２ｇ、７２ｈ、７２ｉは映像表示装置である。この方式は、ＰＣ７１と映像表示装置７２ａから７２ｉをディジーチェーン接続する。ＰＣ７１から送出された映像信号は、そのまま映像表示装置７２ａから７２ｉに届く。この信号を受けて映像表示装置７２ａから７２ｉは、予め設定された映像領域の映像信号のみを拡大し表示する。すなわち、縦３台×横３台（合計９台）の映像表示装置によるマルチディスプレイ装置では、それぞれの映像表示装置が９分の１ずつの異なる映像領域の映像表示を行う事になる。９分の１ずつの映像領域は、それぞれ、左上、中央上、右上、左中央、中央、右中央、左下、中央下、右下である。例えば、映像表示装置７２ｇは、画面左下の映像領域に当たる映像信号部分を縦横それぞれ３倍に拡大表示し、７２ｃの映像表示装置は、画面右上の映像領域に当たる映像信号部分のみを縦横それぞれ３倍に拡大表示する。同様に他の映像表示装置も、それぞれ予め設定された映像領域に当たる映像信号を縦横それぞれ３倍に拡大表示する。
【０００５】
しかし、この方式は、各映像表示装置において受け取った映像信号のうち９分の１の映像領域に当あたる映像信号を拡大表示する事から、表示される映像は粗いものになり、高精細な映像表示ができない。
【０００６】
図９は、第２の従来技術による映像信号伝送方法のシステム図である。この方式は、縦３台×横３台（合計９台）の映像表示装置によるマルチディスプレイ装置であり、ホストＰＣ８１と、ＨＵＢ８３と、ＰＣ８４ａ、８４ｂ、８４ｃ、８４ｄ、８４ｅ、８４ｆ、８４ｇ、８４ｈ、８４ｉと、映像表示装置８２ａ、８２ｂ、８２ｃ、８３ｄ、８３ｅ、８３ｆ、８３ｇ、８３ｈ、８３ｉによって構成されている。ホストＰＣ８１は、映像信号を各映像表示装置９台用に９分割し、各映像表示装置で識別される識別データと共に送出する。送出された信号は、信号分岐装置であるＨＵＢ９２で分岐され、識別データに合致するＰＣに届く。各ＰＣは、それぞれに接続された映像表示装置で映像表示する。この方式は、元の映像信号に対し拡大などの処理を行わず、各映像表示装置の解像度に合わせた映像信号を伝送できるため、高精細な映像を表示することができる。
【０００７】
しかし、この方式では、映像表示装置１台につき１台のＰＣが必要となり、大画面のマルチディスプレイ装置を組む場合、大掛かりとなる。
【０００８】
そこで、特許文献１に、映像表示装置の台数に応じたＰＣを使用することなく、高精細な映像表示を実現できる方式が提案されている。この方式は、映像信号と別に、映像表示装置の識別信号を用いることによって適正な位置の映像表示装置に伝送されるものである。
【０００９】
図１０は、特許文献１の実施例の係るマルチディスプレイ装置および映像信号発生装置のシステム図である。図１０の９１はＰＣ、９２と９３および９４は映像表示装置、９５と９６および９７は映像出力インターフェースである。また、９８は映像ケーブル、９９ａから９９ｃは通信ケーブルである。なお、映像表示装置９２と９３および９４はそれぞれ識別信号発生機能を有し、それぞれ設置場所が左、中央、右に決められている。また、映像出力インターフェース９５と９６および９７からは３台分の映像表示装置に対応するため３分割された映像信号をそれぞれ伝送することができる。
【００１０】
ＰＣ９１は、映像表示装置９２に映像信号を映像出力インターフェース９７から映像ケーブル９８を通じて出力する。映像信号を受けた映像表示装置９２は通信ケーブル９９ａを通じてＰＣ９１へ識別信号を返す。以降、映像表示装置９３と９４に対して同様の処理が行われ、映像出力インターフェース９５と９６および９７と映像表示装置９２と９３および９４の接続組み合わせが確認される。全ての接続組み合わせが確認されると、それぞれの位置にある映像表示装置に適正な映像信号が伝送されるよう、ＰＣ９１は、各映像出力インターフェースと３分割された映像信号の組み合わせを調整する。調整後は適正な組み合わせとなった各映像出力インターフェースから３分割された映像信号が各映像表示装置に伝送され、マルチディスプレイ装置として機能する。
【００１１】
特許文献１のマルチディスプレイ装置を用いれば、高精細な映像表示を少ない機材で実現する事ができる。
【先行技術文献】
【特許文献】
【００１２】
【特許文献１】特開２００６−１８９６３７（平成１８年７月２０日公開）
【発明の概要】
【発明が解決しようとする課題】
【００１３】
しかしながら、特許文献１のマルチディスプレイ装置は、映像信号以外に別途識別信号を用いて表示すべき映像表示装置を特定し、映像表示する手段を開示したものであり、映像信号だけで、表示すべき映像表示装置を特定するマルチディスプレイ装置について開示されたものではない。
【００１４】
そこで、本発明は、上記の問題に鑑みてなされたものであり、その目的は、高精細な静止映像表示を維持し、かつ識別信号を使用せず映像表示装置を特定して映像表示できるマルチディスプレイ装置および映像信号発生装置を実現する。
【課題を解決するための手段】
【００１５】
前記目的を達成するために、本発明の映像信号発生装置は、映像信号と同期信号で構成される静止画信号を分割し、時分割送出する映像信号発生装置であって、前記映像信号発生装置は、前記同期信号と前記映像信号の時間差を制御する制御部を有し、前記制御部は時分割された前記静止画信号ごとに異なる前記時間差を設定することを特徴とする。
【００１６】
本発明の映像信号発生装置は、前記同期信号が垂直同期信号であることを特徴とする。
【００１７】
本発明の映像信号発生装置は、前記同期信号が水平同期信号であることを特徴とする。
【００１８】
本発明のマルチディスプレイ装置は、静止画像の信号を映像表示する複数の映像表示装置が接続されたマルチディスプレイ装置であって、前記静止画信号は、映像信号と同期信号で構成されており、前記映像表示装置は、前記同期信号と前記映像信号の時間差を識別して映像表示することを特徴とする。
【００１９】
本発明のマルチディスプレイ装置は、前記同期信号が垂直同期信号であることを特徴とする。
【００２０】
本発明のマルチディスプレイ装置は、前記同期信号が水平同期信号であることを特徴とする。
【発明の効果】
【００２１】
高精細な静止画像の映像表示を維持し、かつ識別信号を使用せず映像表示装置を特定して映像表示できるマルチディスプレイ装置および映像信号発生装置を実現する。
【図面の簡単な説明】
【００２２】
【図１】本実施例に係るマルチディスプレイ表示システムの構成図である。
【図２】本実施例に係る映像信号発生装置のブロック図である。
【図３】本発明に係る映像表示装置のブロック図である。
【図４】本発明に係る映像信号発生装置で処理される映像のイメージ図である。
【図５】本発明に係る映像信号制御部で処理される映像信号と映像イメージ図である。
【図６】本発明に係る映像表示装置の映像信号識別設定画面である。
【図７】本発明に係る映像表示装置の表示状態を時系列で示した図である。
【図８】第１の従来技術による映像信号伝送方法のシステム図である。
【図９】第２の従来技術による映像信号伝送方法のシステム図である。
【図１０】特許文献１の実施例の係るマルチディスプレイ装置および映像信号発生装置のシステム図である。
【発明を実施するための形態】
【実施例】
【００２３】
本発明の実施例について以下に述べる。最初に図１から図３を用いて、本実施例におけるハードウェアの構成について説明する。
【００２４】
図１は、本実施例に係るマルチディスプレイ表示システムの構成図である。１は静止画信号を生成する映像信号発生装置である。また、２ａから２ｉはそれぞれ映像表示装置であり全体として９画面マルチディスプレイ装置を構成している。映像信号発生装置１から伝送された静止画信号は、映像表示装置２ａに入力し、以降、ディジーチェーン接続によって映像表示装置２ｉまで順に伝送される。なお、本実施例における各映像表示装置の解像度は横１９２０×縦１０８０で、９面で、横５７６０×縦３２４０の解像度となる。
【００２５】
図２は、本実施例に係る映像信号発生装置のブロック図である。映像信号発生装置１は、ＰＣ２０と映像信号送出部１０によって構成され、映像信号送出部１０は、画像メモリ１１、グラフィックスコントローラ１２、映像信号制御部１３、ＨＤＭＩ出力部１４で構成されている。ＰＣ２０は映像データを生成し出力することができる。ＰＣ２０から出力された映像データは、グラフィックスコントローラ１２に入力される。グラフィックスコントローラ１２は、画像メモリ１１を用いて所定のビデオフォーマットに適合した静止画信号を生成する。静止画信号には垂直同期信号と水平同期信号が含まれている。グラフィックスコントローラ１２で生成された静止画信号は、映像信号制御部１３に入力される。映像信号制御部１３では、グラフィックスコントローラ１２からの制御信号によって映像ブランク期間を制御する。映像信号制御部１３から出力された映像信号はＨＤＭＩ出力部１４を経て、映像表示装置へと出力される。
【００２６】
続いて、マルチディスプレイ装置を構成する映像表示装置について解説する。
【００２７】
図３は、本発明に係る映像表示装置のブロック図である。構成されており、ブロック図全体を囲う２ａは映像表示装置を示し、その内部は、スケーラー３０、表示部４０、画像メモリ５０、リモコン受光部６０によって構成され、スケーラー３０は、ＨＤＭＩ出力部３１、ＨＤＭＩ入力部３２、表示位置検出部３３、ＲＯＭ３４、ＲＡＭ３５、イメージプロセッサ３６、ＣＰＵ３７、フラッシュメモリ３８によって構成されている。なお、図１の映像表示装置２ｂから２ｉも図３の映像表示装置２ａと同じ構成である。
【００２８】
ＣＰＵ３７は、スケーラー３０全体の制御を行っており、表示位置検出部３３とＲＯＭ３４とＲＡＭ３５とイメージプロセッサ３６およびリモコン受光部６０が接続されている。
【００２９】
ＲＯＭ３４には映像表示装置２ａを動作させるためのプログラムが記憶されており、ＣＰＵ３７は、ＲＯＭ３４の内容をＲＡＭ３５に展開し、プログラムを実行する。映像表示装置２ａに表示させる静止画信号を特定する目的で、ＣＰＵ３７は、リモコン受光部６０が受光した操作信号によって、識別対象となる映像ブランク期間を設定でき、その設定情報をフラッシュメモリ３８に記憶できる。
【００３０】
ＨＤＭＩ入力部３２は、ＨＤＭＩ規格形式の信号から、映像信号、水平同期信号、垂直同期信号、ドットクロックが復号された信号が、ＨＤＭＩ出力部３１と表示位置検出部３３とイメージプロセッサ３６に接続されており、各部へ静止画信号を出力する。
【００３１】
表示位置検出部３３は、入力した静止画信号の映像ブランク期間を検出する。映像ブランク期間の検出方法は、垂直同期信号の前エッジを基準として、映像信号の開始までの期間を水の時間差から測定できる。また、本実施例とは別の方法として、水平同期信号を基準として映像信号の開始までの期間をドットクロックでサンプリングすることでも可能である。
【００３２】
ＣＰＵ３７は、表示位置検出部３３で検出した映像ブランク期間とフラッシュメモリ３８に記憶した映像ブランク期間を比較し、入力された静止画信号が映像表示装置２ａで表示するべきものかを判定する。表示すべき静止画信号であると判定されれば、ＣＰＵ３７は、イメージプロセッサ３６に映像信号の処理実施を指示する。
【００３３】
イメージプロセッサ３６は、画像メモリ５０に映像信号を展開し、入力した映像信号を表示部４０で表示可能な信号に変換し、変換された映像信号を表示部４０で表示する。以上が、映像表示装置のハードウェア構成の解説である。
【００３４】
続いて、本実施例の映像信号発生装置１における映像信号の生成について図４と図５を用いて説明する。
【００３５】
図４は、本発明に係る映像信号発生装置１で処理される映像のイメージ図である。図４の（ａ）は、ＰＣ２０に、横５７６０×縦３２４０の解像度で構成された「楕円」の映像データである。（ｂ）は、グラフィックスコントローラ１２において（ａ）の映像を９分割したものであり、それぞれが横１９２０×縦１０８０の解像度の映像データの状態を表している。グラフィックコントローラ１２によって、９分割された映像データは、１分割ずつ映像信号に変換され、水平同期信号と垂直同期信号をともなって映像信号制御部１３に入力される。なお、９分割され映像信号制御部１３に入力される信号を「本来の映像信号」と称する。
【００３６】
図５は、本発明に係る映像信号制御部１３で処理される映像信号と映像イメージ図である。図５の（ａ）から（ｉ）は、映像信号制御部１３において９分割されたそれぞれの静止画信号における映像ブランク期間を制御した状態を表している。各信号波形は、垂直同期信号、本来の映像信号、各ディスプレイ用の映像信号、水平同期信号である。なお、本来の映像信号は比較のために記載したものである。また、（ａ）から（ｉ）の映像信号に応じた映像イメージを各信号波形の右側に示している。
【００３７】
映像信号制御部１３は、グラフィックスコントローラ１２からの制御を受けて、（ａ）から（ｉ）の映像信号の表示開始位置を一定時間ずつ遅延させる。この差が図５の映像イメージに映像ブランク期間として現れる。例えば、（ａ）では、本来の映像信号の表示位置とディスプレイ２ａの映像信号の表示位置には差「Ａ」が存在し、映像イメージには「Ａ」の分だけ映像ブランク期間が生じる。（ｂ）から（ｉ）も同様に、「２Ａ」、「３Ａ」・・・「９Ａ」と、異なった映像ブランク期間を持たせる。この処理によって、９分割された各信号は、映像信号の表示開始位置を目印とした識別情報を内包する事になる。識別情報を内包した（ａ）から（ｉ）の映像信号は、垂直同期信号および水平同期信号とともに（ａ）から（ｉ）の順に時分割でＨＤＭＩ出力部１４に入力される。なお、補足として、映像ブランク期間の検出は、図３の解説の中で記述したように、垂直同期信号の前エッジを基準として、映像信号の開始までの期間を水平同期信号でサンプリングすることで、垂直同期信号の伝送開始位置と映像信号の開始位置の時間差から測定する。
【００３８】
ＨＤＭＩ出力部１４では、ＨＤＭＩ規格形式の静止画信号に変換されマルチディスプレイ装置に出力される。なお、マルチディスプレイ装置は９台の映像表示装置によってディジーチェーン接続されているため（図１）、各映像表示装置には（ａ）から（ｉ）の各ディスプレイ用の映像信号と各同期信号が全て同様に届く。
【００３９】
本実施例のマルチディスプレイ装置における映像表示処理について図６と図７を用いて説明する。
【００４０】
図６は、本発明に係る映像表示装置の映像信号識別設定画面である。各映像表示装置は、静止画信号を識別するために、リモコン操作などによって映像信号識別設定画面を表示し映像信号識別番号を設定する。この設定と処理はＣＰＵ３７がＲＯＭ３４のプログラムをＲＡＭ３５に展開して実行するものである。各映像表示装置では、それぞれ異なった映像信号識別番号を設定する。映像表示装置２ａでは、図６の（ａ）に示すように映像信号識別番号に「１」を入力し、映像表示装置２ｂには、（ｂ）のように「２」を、以降も同様に値を変えて映像表示装置２ｉまで入力する。この映像信号識別番号は各映像表示装置のフラッシュメモリ３８に記憶される。
【００４１】
静止画信号が入力されると、表示位置検出部３３は、垂直同期信号の開始位置と映像信号の開始位置の時間差から映像ブランク期間を検出する。ＣＰＵ３７は、フラッシュメモリ３８に記憶された映像識別番号と表示位置検出部３３の映像ブランク期間を比較する。映像信号識別番号「１」は、映像ブランク期間が「Ａ」の静止画信号だけをイメージプロセッサ３６で処理し、他の静止画信号は処理しない。以降も同様に、映像識別信号「９」では、映像ブランク期間「９Ａ」の静止画信号のみを処理する。イメージプロセッサ３６は、画像メモリ５０に映像信号を展開し映像ブランク期間を削除して表示部４０の画面上部に映像ブランク期間が表示されないようにする。イメージプロセッサ３６は、次回の映像ブランク期間「Ａ」の静止画信号が入力されるまで、同じ静止画信号を表示部４０に表示し続ける。
【００４２】
図７は、本発明に係る映像表示装置の表示状態を時系列で示した図である。（０）は初期状態であり、何も表示されていない。（Ａ）は、時分割された最初の信号である静止画信号（図５の（ａ））が、映像表示装置２ａすなわち左上の画面に表示された状態である。以降、順次静止画信号が入力され、９画面分を入力し全ての表示が完了した状態が（ｉ）である。
【００４３】
以上が、本実施例における映像信号発生装置と、マルチディスプレイ装置の解説である。本実施例を実施する事で、静止画信号以外に別途識別信号を用いることなく、高精細な映像表示を実現することが可能となる。なお、本発明は上述の実施例に限定されるものではなく、同期信号と映像信号の開始位置の時間差から静止画信号を特定できれば、どの様な手段であってもよい。また、上述の実施例で説明した複数の映像表示装置で表示する静止画表示動作を「動画の１フレーム分」と捉え、高速で（例えば、１秒間に３０フレーム）静止画信号を転送表示する事で、本発明は動画にも対応する事ができる。
【産業上の利用可能性】
【００４４】
本発明は、複数の映像表示装置を接続し、一体の表示部として機能するマルチディスプレイ装置および映像信号発生装置に広く適用することができる。
【符号の説明】
【００４５】
１  映像信号発生装置
２ａ、２ｂ、２ｃ、２ｄ、２ｅ、２ｆ、２ｇ、２ｈ、２ｉ、７２ａ、７２ｂ、７２ｃ、７２ｄ、７２ｅ、７２ｆ、７２ｇ、７２ｈ、７２ｉ、８２ａ、８２ｂ、８２ｃ、８２ｄ、８２ｅ、８２ｆ、８２ｇ、８２ｈ、８２ｉ、９２、９３、９４  映像表示装置
１１  画像メモリ
１２  グラフィックスコントローラ
１３  映像信号制御部
１４  ＨＤＭＩ出力部
２０、７１、８４ａ、８４ｂ、８４ｃ、８４ｄ、８４ｅ、８４ｆ、８４ｇ、８４ｉ、９１  ＰＣ
３０  スケーラー
３１  ＨＤＭＩ出力部
３２  ＨＤＭＩ入力部
３３  表示位置検出部
３４  ＲＯＭ
３５  ＲＡＭ
３６  イメージプロセッサ
３７  ＣＰＵ
３８  フラッシュメモリ
４０  表示部
５０  画像メモリ
６０  リモコン受光部
８１  ホストＰＣ
８３  ＨＵＢ
９５、９６、９７  映像出力インターフェース
９８  映像ケーブル
９９ａ、９９ｂ、９９ｃ  通信ケーブル
【図１】
2012078393.tif 000003
【図２】
2012078393.tif 000004
【図３】
2012078393.tif 000005
【図４】
2012078393.tif 000006
【図５】
2012078393.tif 000007
【図６】
2012078393.tif 000008
【図７】
2012078393.tif 000009
【図８】
2012078393.tif 000010
【図９】
2012078393.tif 000011
【図１０】
2012078393.tif 000012